(57)【要約】【課題】プロジェクタとリモートコントローラーの容易な接続のために、リモートコントローラーのチャンネルに合わせてプロジェクタのチャンネルの切り替えを行うことを可能にした投射型表示装置を提供すること。【解決手段】複数のチャンネルを有し、特定のチャンネルを有するリモートコントローラーから送信される信号を受信する受信部を具備し、前記信号受信時にリモートコントローラーのチャンネルと前記投射型表示装置のチャンネルとが一致する際に前記信号に対応する処理を行う投射型表示装置であって、前記操作信号を受信した際に、所定の操作を行うことで、前記投射型表示装置のチャンネルを切り替えることを特徴とする。【選択図】図１
2016046608.tif 000002
【特許請求の範囲】
【請求項１】
複数のチャンネルを有し、特定のチャンネルを有するリモートコントローラーから送信される信号を受信する受信部を具備し、前記信号受信時にリモートコントローラーのチャンネルと前記投射型表示装置のチャンネルとが一致する場合に、前記信号に対応する処理を行う投射型表示装置であって、前記操作信号を受信した場合に、所定の操作を行うことで、前記投射型表示装置のチャンネルを切り替えることを特徴とする投射型表示装置。
【請求項２】
投射型表示装置の所定の操作がリモートコントローラーの送信後規定時間以内に投射型表示装置の入力部の操作を行うことであり、リモートコントローラーから送信された信号に対応する処理と、同じ処理を行う操作を入力部に対して行った場合には、リモートコントローラーと投射型表示装置のチャンネルを同一のチャンネルにし、リモートコントローラーから送信された信号に対応する処理と、異なる処理を行う操作を入力部に対して行った場合には、リモートコントローラーと投射型表示装置のチャンネルを異なるチャンネルにすることを特徴とする請求項１に記載の投射型表示装置。
【請求項３】
切替釦を具備し、投射型表示装置の所定の操作がリモートコントローラーの信号送信後の規定時間以内に投射型表示装置の切替釦を押下することにより、リモートコントローラーのチャンネルと、投射型表示装置のチャンネルが同じ場合には、投射型表示装置のチャンネルをリモートコントローラーのチャンネルと異なるチャンネルにし、リモートコントローラーのチャンネルと、投射型表示装置のチャンネルが異なる場合には、投射型表示装置のチャンネルをリモートコントローラーのチャンネルと同一のチャンネルにすることを特徴とする請求項１に記載の投射型表示装置。
【請求項４】
投射型表示装置の所定の操作がリモートコントローラーの信号送信後の規定時間以内に投射型表示装置の釦を複数同時に押下することにより、リモートコントローラーのチャンネルと、投射型表示装置のチャンネルが同じ場合には、投射型表示装置のチャンネルをリモートコントローラーのチャンネルと異なるチャンネルにし、リモートコントローラーのチャンネルと、投射型表示装置のチャンネルが異なる場合には、投射型表示装置のチャンネルをリモートコントローラーのチャンネルと同一のチャンネルにすることを特徴とする請求項１に記載の投射型表示装置。
【請求項５】
チャンネル切替え可否の確認の有効また無効を切り替えることが可能である請求項２乃至請求項４の何れか一項に記載の投射型表示装置。
【請求項６】
リモコン簡易接続の有効また無効を切り替えることが可能である請求項２乃至請求項４の何れか一項に記載の投射型表示装置。
【発明の詳細な説明】
【技術分野】
【０００１】
本発明は、液晶プロジェクタなどの投射型表示装置およびそのリモートコントローラーの接続方法に関する。
【背景技術】
【０００２】
従来、リモートコントローラー（以後リモコン）を用いてプロジェクタと通信する場合、リモコンのチャンネルとプロジェクタのチャンネルを合わせる必要がある。しかしながら、複数のプロジェクタを投射しているような環境では、通信のたびにリモコンのチャンネルおよび各々のプロジェクタのチャンネルを変更することは大変な手間であり、さらにプロジェクタ毎にチャンネルを管理することは大きな負担となる。
【０００３】
特許文献１では、リモコンにＩＤ変更スイッチを持ち、ＩＤ変更スイッチがＯＮであれば受信側のＩＤを変更する。ただし、ＩＤ変更スイッチがＯＦＦであれば受信側のＩＤは変更しないリモコンと受信側の接続方法が開示されている。
【先行技術文献】
【特許文献】
【０００４】
【特許文献１】特開２００６−１３５７２号公報
【発明の概要】
【発明が解決しようとする課題】
【０００５】
しかしながら、上述の特許文献に開示された従来技術では、リモコンのチャンネルに合わせて受信側のチャンネルの変更が可能だが、リモコンのチャンネルと受信側のチャンネルを異なるものにすることができない。そのため、リモコンの受信先を柔軟に選択することができない。
【０００６】
そこで、本発明の目的は、プロジェクタとリモコンの容易な接続のために、リモコンのチャンネルに合わせてプロジェクタのチャンネルの切り替えを行うことを可能にした投射型表示装置を提供することにある。
【課題を解決するための手段】
【０００７】
上記目的を達成するために、本発明は、複数のチャンネルを有し、特定のチャンネルを有するリモートコントローラーから送信される信号を受信する受信部を具備し、前記信号受信時にリモートコントローラーのチャンネルと前記投射型表示装置のチャンネルとが一致する際に前記信号に対応する処理を行う投射型表示装置であって、前記操作信号を受信した際に、所定の操作を行うことで、前記投射型表示装置のチャンネルを切り替えることを特徴とする。
【発明の効果】
【０００８】
本発明によれば、プロジェクタとリモコンの状況に合わせた容易な接続を提供することができる。
【図面の簡単な説明】
【０００９】
【図１】本発明の投射型表示装置およびリモートコントローラーのブロック図である。
【図２】実施例２の投射型表示装置のブロック図である。
【発明を実施するための形態】
【００１０】
以下に、本発明の好ましい実施の形態を、添付の図面に基づいて詳細に説明する。図１は、本発明の実施形態にかかわるブロック図である。
【実施例１】
【００１１】
以下、図１を参照して、本発明の第１の実施例による、プロジェクタとリモコンの接続方法について説明する。プロジェクタ１００は、入力画像信号に応じて液晶パネル等の画像表示素子により変調された光（すなわち画像）を、投射レンズ１０４を介して投射像としてスクリーン等の被投射面に投射する画像投射装置である。この場合、光源１０１から出た光は、照明光学系１０２を通り、色分解合成系１０３で画像を形成する。
【００１２】
プロジェクタ１００は、光源（ランプ）１０１、照明光学系１０２、色分解合成系１０３、制御部１０５、受信部１０６、記憶部１０７、入力部１０８を有する。プロジェクタ１００は、記憶部１０７に複数のチャンネルを所持している。
【００１３】
リモコン２００は、記憶部２０２に記憶してあるチャンネルと入力部２０１による操作を送信部２０４から送信する。送信された信号は、プロジェクタ１００の受信部１０６で受信され、記憶部１０７に記憶してあるチャンネルと比較し、同一のチャンネルであれば、送信された操作に対応する処理を制御部１０５が行う。
【００１４】
リモコン２００による送信から規定時間（たとえば１０秒）以内に、プロジェクタ１００の入力部１０８において、同処理に対応する操作を行った場合、送信された信号から、リモコンのチャンネルを取得し、プロジェクタ１００の記憶部１０７に記憶してあるチャンネルをリモコンのチャンネルと同じチャンネルへ変更する。
【００１５】
規定時間以内にプロジェクタ１００の入力部１０８への操作が行われない場合、送信された信号のチャンネルとプロジェクタ１００の記憶部１０７に記憶してあるチャンネルが同じである場合には、プロジェクタ１００の制御部１０５は送信された操作を行う。送信された信号のチャンネルとプロジェクタ１００の記憶部１０７に記憶してあるチャンネルが同じでない場合には、プロジェクタ１００の制御部１０５はなにも行わない。
【００１６】
リモコン２００による送信から規定時間（たとえば１０秒）以内に、プロジェクタ１００の入力部１０８において、別処理に対応する操作を行った場合、送信された信号から、リモコンのチャンネルを取得し、プロジェクタ１００の記憶部１０７に記憶してあるチャンネルと同じであれば、プロジェクタ１００の制御部１０５は、記憶部１０７に記憶してあるチャンネルをリモコンのチャンネルと別のチャンネルへ変更する。ただし、プロジェクタ１００の記憶部１０７に記憶してあるチャンネルと異なっていれば、プロジェクタ１００の制御部１０５はなにも行わない。
【００１７】
このとき、プロジェクタのチャンネル切り替え確認の有効無効が有効である場合には、プロジェクタのチャンネル切り替えの可否を問い、可である場合には前記のとおりの処理を行い、否である場合にはプロジェクタのチャンネルの変更を行わない。プロジェクタのチャンネル切り替え確認の有無が無である場合には、前記のとおりの処理を行う。
【００１８】
本実施例によれば、使用者は使用したいプロジェクタを取捨選択でき、リモコンとプロジェクタ間の実際のチャンネル意識することなくプロジェクタとリモコンの接続を行うことができる。
【実施例２】
【００１９】
図２を参照して、本発明の第２の実施例による、プロジェクタとリモコンの接続方法について説明する。実施例２の投射型表示装置は図１と同様の構成を有するが、入力部１０８とは別に、切替釦１０９があることが相違点である。本実施例は、リモコン２００による送信から規定時間（たとえば１０秒）以内に、切替釦１０９が押下された際にリモコンのチャンネルと、プロジェクタ１００の記憶部１０７に記憶してあるチャンネルが同じである場合には、プロジェクタ１００の制御部１０５は、記憶部１０７に記憶してあるチャンネルをリモコンのチャンネルと別のチャンネルへ変更する。
【００２０】
リモコンのチャンネルと、プロジェクタ１００の記憶部１０７に記憶してあるチャンネルが異なる場合には、プロジェクタ１００の制御部１０５は、記憶部１０７に記憶してあるチャンネルをリモコンのチャンネルと同じチャンネルへ変更する。このとき、プロジェクタのチャンネル切り替え確認の有効無効が有効である場合には、プロジェクタのチャンネル切り替えの可否を問い、可である場合には前記のとおりの処理を行い、否である場合にはプロジェクタのチャンネルの変更を行わない。プロジェクタのチャンネル切り替え確認の有無が無である場合には、前記のとおりの処理を行う。また、切替釦１０９が押下されなかった場合は、実施例１と同様の処理を行う。
【００２１】
本実施例においても、使用者は使用したいプロジェクタを取捨選択でき、リモコンとプロジェクタ間の実際のチャンネル意識することなくプロジェクタとリモコンの接続を行うことができる。
【実施例３】
【００２２】
実施例３の投射型表示装置は図１と同様の構成を有するが、プロジェクタ１００のチャンネルの切替方法は実施例２と同様で、切替釦１０９の代わりに、プロジェクタ１００の入力部１０８の釦をすくなくとも２つ同時に押下することを用いる。本実施例は、リモコン２００による送信から規定時間（たとえば１０秒）以内に、プロジェクタ１００の入力部１０８の釦を２つ同時に押下された際にリモコンのチャンネルと、プロジェクタ１００の記憶部１０７に記憶してあるチャンネルが同じである場合には、プロジェクタ１００の制御部１０５は、記憶部１０７に記憶してあるチャンネルをリモコンのチャンネルと別のチャンネルへ変更する。
【００２３】
リモコンのチャンネルと、プロジェクタ１００の記憶部１０７に記憶してあるチャンネルが異なる場合には、プロジェクタ１００の制御部１０５は、記憶部１０７に記憶してあるチャンネルをリモコンのチャンネルと同じチャンネルへ変更する。このとき、プロジェクタのチャンネル切り替え確認の有効無効が有効である場合には、プロジェクタのチャンネル切り替えの可否を問い、可である場合には前記のとおりの処理を行い、否である場合にはプロジェクタのチャンネルの変更を行わない。プロジェクタのチャンネル切り替え確認の有効無効が無効である場合には、前記のとおりの処理を行う。また、プロジェクタ１００の入力部１０８の釦を２つ同時に押下されなかった場合は、実施例１と同様の処理を行う。
【００２４】
本実施例においても、使用者は使用したいプロジェクタを取捨選択でき、リモコンとプロジェクタ間の実際のチャンネル意識することなくプロジェクタとリモコンの接続を行うことができる。
【実施例４】
【００２５】
実施例４の投射型表示装置は図１または、図２と同様の構成を有するが、リモコン簡易接続の有無によって制御内容を変更していることが相違点である。プロジェクタ１００はリモコン簡易接続が有効である場合、実施例１から３の処理をおこなう。プロジェクタ１００はリモコン簡易接続が無効である場合には、プロジェクタ１００とリモコン２００のチャンネルが同一のチャンネルであれば、送信された操作に対応する処理をプロジェクタ１００の制御部１０５が行う。プロジェクタ１００とリモコン２００のチャンネルが別のチャンネルであれば、プロジェクタ１００の制御部１０５はなにも行わない。
【００２６】
本実施例においても、通常通りの使い方と簡易接続の使い分けが可能で、かつ簡易接続を有にすることで、使用者は使用したいプロジェクタを取捨選択でき、リモコンとプロジェクタ間の実際のチャンネル意識することなくプロジェクタとリモコンの接続を行うことができる。
【００２７】
以上、本発明の好ましい実施形態について説明したが、本発明はこれらの実施形態に限定されず、その要旨の範囲内で種々の変形及び変更が可能である。
【符号の説明】
【００２８】
１００  プロジェクタ、１０１  光源（ランプ）、１０２  照明光学系、
１０３  色分解合成系、１０４  投射レンズ、１０５  制御部、１０６  受信部、
１０７  記憶部、１０８  入力部、１０９  切替釦、２００  リモコン、
２０１  入力部、２０２  記憶部、２０３  制御部、２０４  送信部
【図１】
2016046608.tif 000003
【図２】
2016046608.tif 000004